(57)【特許請求の範囲】
【請求項１】
複数のピンコンタクト、これらピンコンタクトを、その先端部が同一方向に導出されるとともに後端部が収容されて、保持するハウジング、及び、該ハウジングに取付けられ、前記複数のピンコンタクトの先端部の導出方向を規定すべく、当該ピンコンタクトを挿通させる複数の挿通孔を有する樹脂製の板状ロケータを備えたコネクタであって、
前記ロケータは、その側縁面に、前記導出方向と直交する方向に突出した、複数の取付け用フック及び突出部を有し、
前記ハウジングの側縁部には、凹凸が設けられ、
前記凹凸は、
底部、及び、前記底部から前記導出方向に突出し途中で屈曲して鉤部が設けられた係合突起からそれぞれ構成された複数の係合部と、
前記突出部と前記ハウジングの前記側縁部との当接部と、を含むと共に、
前記底部が凹部となり、前記当接部が前記底部から前記導出方向に離れた凸部となるように形成されており、
前記突出部が前記ハウジングの前記側縁部に前記当接部において当接している状態で、前記係合部の前記底部が前記フックから離隔していると共に、前記係合突起の前記鉤部が前記フックと係合して当該フックを前記係合部の前記底部に向けて撓ませるコネクタ。
【請求項２】
前記ハウジングが、前記ロケータの一方側の面に沿うように設けられた突起部を有する請求項１に記載のコネクタ。 
【発明の詳細な説明】
【技術分野】
【０００１】
本発明は、半固定状態でハウジングに取付けられ、ピンコンタクトの変形を防止するロケータを備えるコネクタに関するものである。
【背景技術】
【０００２】
従来から、ピンコンタクトの変形を防止するためのロケータを備えるコネクタとして、コネクタを回路基板に実装する際に同時に固定される固定タイプのものと、回路基板に対し水平方向及び垂直方向に遊びを設けて固定されないフリータイプのものとが公知となっている。
【０００３】
固定タイプのものとしては、例えば、下記特許文献１に開示されるように、基板に接続されるよう構成された電気コネクタであって、ハウジングと、該ハウジングに担持された複数の電気コンタクトであって、各々が、前記基板により担持された相互コンタクトインタフェースと相互接続可能なコンタクトインタフェースを有する電気コンタクトと、前記コンタクトの前記コンタクトインタフェースと整列し嵌合するように配置された複数の開口を有するコンタクトガイドとを具備し、前記ハウジングは、該ハウジングに対して前記コンタクトガイド及び前記基板を固定するために、前記コンタクトガイド及び前記基板の双方と嵌合するよう構成されたロック部を有するものがある。
また、フリータイプのものとしては、例えば、下記特許文献２に開示されるように、基板に実装される絶縁ハウジングと、該絶縁ハウジングに保持される複数のコンタクトと、該各コンタクトのタインを整列させる可動コンタクト整列部材とを備え、前記タインが前記絶縁ハウジングの底面から延びて前記基板のスルーホールに接続される可動コンタクト整列部材付きコネクタにおいて、前記絶縁ハウジングに、該絶縁ハウジングと前記可動コンタクト整列部材との間に露出する前記複数のタインのうち少なくとも一部のタインを前記絶縁ハウジングの側方から覆うシールド部材がさらに設けられているものがある。
【特許文献１】特開２００３−２５７５２４号公報
【特許文献２】特開２００４−６３３８８号公報
【発明の開示】
【発明が解決しようとする課題】
【０００４】
しかし、特許文献１のものは、ロケータが固定されているため、回路基板との材質の違いによる熱膨張・収縮の差によりピンコンタクトと回路基板との半田接続部分にクラックが生じやすくなり、コネクタのピンコンタクトと回路基板上の配線パッドとの電気的接続が不安定になるとともに、回路基板上におけるコネクタの接合強度（ピール強度）が弱まって脱落してしまうといった不具合が生じやすい。
【０００５】
このような不具合を防止するために、補強タブにおける回路基板との接合面積を大きくして接合に用いる半田量を増やすことにより接合強度を向上させることが考えられるが、この場合には回路基板上の電子部品の実装有効面積が減少してしまうとともに、多量の半田により回路基板の細かな配線パターンに対して複数の配線パターンに跨って塗布され接続不良が生じやすくなるのであまり好ましくない。
【０００６】
また、特許文献２のものは、ロケータが遊びを有して設けられているため、振動環境で使用された場合、ピンコンタクトと接触して異音を生じるため、不具合が発生したと間違えられることもある。
【０００７】
そこで、本発明の目的は、ピンコンタクトと回路基板との半田接続部分にクラックが生じることを抑制し、振動環境で使用されても異音を生じさせない、ピンコンタクトの変形を防止するロケータを備えるコネクタを提供することである。
【課題を解決するための手段及び効果】
【０００８】
本発明は、複数のピンコンタクト、これらピンコンタクトを、その先端部が同一方向に導出されるとともに後端部が収容されて、保持するハウジング、及び、該ハウジングに取付けられ、前記複数のピンコンタクトの先端部の導出方向を規定すべく、当該ピンコンタクトを挿通させる複数の挿通孔を有する樹脂製の板状ロケータを備えたコネクタであって、前記ロケータは、その側縁面に、前記導出方向と直交する方向に突出した、複数の取付け用フック及び突出部を有する。前記ハウジングの側縁部には、凹凸が設けられ、前記凹凸は、底部、及び、前記底部から前記導出方向に突出し途中で屈曲して鉤部が設けられた係合突起からそれぞれ構成された複数の係合部と、前記突出部と前記ハウジングの前記側縁部との当接部と、を含むと共に、前記底部が凹部となり、前記当接部が前記底部から前記導出方向に離れた凸部となるように形成されており、前記突出部が前記ハウジングの前記側縁部に前記当接部において当接している状態で、前記係合部の前記底部が前記フックから離隔していると共に、前記係合突起の前記鉤部が前記フックと係合して当該フックを前記係合部の前記底部に向けて撓ませる。
上記構成により、ロケータは、ハウジングに取付けられた際に働く応力によってほとんど動くことがない。しかし、ロケータを構成する樹脂は応力負荷下で加熱されることによりクリープして応力がゼロになる特性を有するので、フックを撓ませた状態でハウジングに当接されていたロケータは、半田リフロー後に上記応力が軽減され、やや動きやすくなって回路基板に実装されることとなる。したがって、半田リフロー後にこのような効果を発揮するコネクタを提供できる。 
【００１２】
本発明のコネクタは、前記ハウジングが、前記ロケータの一方側の面に沿うように設けられた突起部を有することが好ましい。
上記構成により、ハウジングと反対側のロケータ側縁部がピンコンタクト保持側に動くのを適度に抑制でき、ピンコンタクトとの接触による異音を防止できる。 
【発明を実施するための最良の形態】
【００１３】
次に、本発明のコネクタの一実施形態について図面等を参照しつつ説明するが、本発明はこれに限定されるものでない。なお、以下の実施の形態において用いる、前後左右上下などの方向に関する用語は、説明の便宜上のためにのみ用いられるものである。
【００１４】
図１は本実施形態のコネクタを示す斜視図である。図２は本実施形態のコネクタを示す端面図である。図３は図１のロケータを反対側から見た場合であって、突起部におけるロケータ短手方向の斜視断面図である。図４は本実施形態のコネクタのロケータ取り付け前を示す斜視図である。図５は図２のコネクタのV−V矢視断面図である。図６は図５のコネクタの部分拡大断面図である。
【００１５】
コネクタ１は、金属製の複数のピンコンタクト２と、絶縁性樹脂で一体成型してなるハウジング３と、絶縁性樹脂の板状部材からなるロケータ４とを備えている。
【００１６】
複数のピンコンタクト２は、ハウジング３の後面部において、上下４段に、当該ハウジング３の長手方向に沿って後端部が収容保持され、列状に並設されている。ピンコンタクト２はバネ性を有し、その中間部分がほぼ直角に折曲されている。
【００１７】
ハウジング３の正面側（図示せず）には、相手側であるソケット側コネクタ（図示せず）が装着できるコネクタの間口部（図示せず）が形成されている。また、間口部の底面には、装着されたソケット側コネクタの複数の端子と各々当接する端子部が長手方向に沿って列状に並設されている。ハウジング３の側面におけるピンコンタクト２側の縁には、後述するロケータ４のフック４ａ、４ｂ、４ｃ、４ｄが係合する係合部３ａ、３ｂ、３ｃ、３ｄを備える。係合部３ａ、３ｂ、３ｃ、３ｄには、フック４ａ、４ｂ、４ｃ、４ｄが係合しやすいように凹部がそれぞれ設けられている（図５参照）。なお、ハウジング３の側面に、フック４ａ、４ｂ、４ｃ、４ｄをハウジング３の側面に対し傾斜するように係合させて取付けることができるように形成されていることが好ましい（図６参照）。
ハウジング３側縁部の断面形状は、図５、６に示すように、略凹凸状に形成されている。具体的には、この凹凸は、４つの係合部３ａ、３ｂ、３ｃ、３ｄと、ハウジング３側縁部が後述するロケータ４の突出部４ｅ、４ｆとそれぞれ当接する部分（当接部）３ｅ、３ｆとを含んでいる。係合部３ａ、３ｂは、底部３ａ１、３ｂ１と、底部３ａ１、３ｂ１からピンコンタクト２の先端部の導出方向に突出し途中で屈曲して鉤部３ａ３、３ｂ３が設けられた係合突起３ａ２、３ｂ２とから構成されている。さらに、この凹凸は、底部３ａ１、３ｂ１が凹部となり、当接部３ｅ、３ｆが底部３ａ１、３ｂ１から前記導出方向に距離Ｍ、Ｎだけ離れた凸部となるように形成されている。具体的には、係合部３ａの底部３ａ１と当接部３ｅとの距離がＭとなるように、かつ、係合部３ｂの底部３ｂ１と当接部３ｅとの距離がＮとなるように形成されている。この距離ＭとＮは同値でもよい。なお、係合部３ｃ、３ｄと当接部３ｆとの関係も、同様の階段状の断面形状である。
また、ハウジング３のピンコンタクト２が設けられている面には、ロケータ４の一方側の面に沿うように設けられた突起部５が設けられている（図３参照）。
なお、ハウジング３の材質としては、例えば、シンジオタクチックポリスチレン、ポリフェニンサルファイド、６Ｔナイロン、４６ナイロンなどの熱可塑性樹脂を好ましく用いることができる。 
【００１８】
ロケータ４は、複数のピンコンタクト２の先端部の導出方向を規定すべく、ピンコンタクト２を挿通させる複数の挿通孔６を有する樹脂製の板である。このロケータ４は、その側縁部に沿って設けられたフック４ａ、４ｂ、４ｃ、４ｄと、フック４ａ、４ｂの間にフック４ａ、４ｂ、４ｃ、４ｄと同じく前記導出方向と直交する方向に突出するように設けられた突出部４ｅと、フック４ｃ、４ｄの間に前記導出方向と直交する方向に突出するように設けられた突出部４ｆと、２つの突出部４ｅ、４ｆの先端同士を結ぶように一体成型されている板部４ｇとを備える。各フックの先端はロケータ４の側縁部中央側に向いて設けられ、フック４ａ、４ｄはロケータ４の側縁部の各端部付近に、フック４ｂ、４ｃはロケータ４の側縁部の中央付近に所定の間隔を有して設けられている。 
【００１９】
次に、ロケータ４のハウジング３への係合状態について説明する。上述したように、ハウジング３側縁部の凹凸は、図６に示すように、係合部３ａの底部３ａ１と当接部３ｅとの距離がＭとなるように、かつ、係合部３ｂの底部３ｂ１と当接部３ｅとの距離がＮとなるように形成されている。したがって、ロケータ４をハウジング３に取付けると、ハウジング３の側面に、フック４ａ、４ｂ、４ｃ、４ｄをハウジング３の側面に対し傾斜するように係合させて取付けられることとなる。すなわち、突出部４ｅ、４ｆがハウジング３の側縁部に当接部３ｅ、３ｆにおいて当接している状態で、係合部３ａ、３ｂの底部３ａ１、３ｂ１がフック４ａ、４ｂから離隔していると共に、係合突起３ａ２、３ｂ２の鉤部３ａ３、３ｂ３がフック４ａ、４ｂと係合して当該フック４ａ、４ｂを係合部３ａ、３ｂの底部３ａ１、３ｂ１に向けて撓ませることができる。  さらに、ロケータ４のフック４ａ、４ｂ、４ｃ、４ｄの撓ませ方を大きくすれば、ハウジング３側面に対して部分的に異なる押圧力で接触して取付けることもできる。また、図示しないが、ロケータ４のハウジング３側の側縁面を凹凸が形成された面として、ハウジング３側面に対して部分的に押圧当接して取付けてもよい。
また、板部４ｇにより板部４ｇと反対側の側縁部が図１における上側に移動することを抑制することができる。 
【００２０】
上記実施形態のコネクタ１によれば、係合部３ａ、３ｂ、３ｃ、３ｄとフック４ａ、４ｂ、４ｃ、４ｄとが上記のように構成されているので、確実にロケータ３のフック４ａ、４ｂ、４ｃ、４ｄが、撓んだ状態、ハウジング３側面に対して部分的に異なる押圧力で接触する状態、又はハウジング３側面に対して部分的に押圧当接する状態となるので、ロケータ４は、ハウジング３に取付けられた際に働く応力によってほとんど動くことがない。しかし、材質の樹脂は応力負荷下で加熱されることによりクリープして応力がゼロになる特性を有するので、フック４ａ、４ｂ、４ｃ、４ｄがハウジング３側面に部分的に押圧当接されていたロケータ４は、半田リフロー後に上記応力が軽減され、やや動きやすくなって回路基板（図示せず）に実装されることとなる。したがって、半田リフロー後にこのような効果を発揮するコネクタ１を提供できる。
【００２１】
また、突起部５を有することにより、コネクタ１が振動させられる状況下で使用されても、ハウジング３と反対側のロケータ４側縁部がピンコンタクト２保持側に動くのを適度に抑制でき、ピンコンタクト２との接触による異音を防止できる。
【図面の簡単な説明】
【００２２】
【図１】本実施形態のコネクタを示す斜視図である。
【図２】本実施形態のコネクタを示す端面図である。
【図３】図１のロケータを反対側から見た場合であって、突起部におけるロケータ短手方向の斜視断面図である。
【図４】本実施形態のコネクタのロケータ取り付け前を示す斜視図である。
【図５】図２のコネクタのV−V矢視断面図である。
【図６】図５のコネクタの部分拡大断面図である。
【符号の説明】
【００２３】
１    コネクタ
２    ピンコンタクト
３    ハウジング
３ａ、３ｂ、３ｃ、３ｄ  係合部
４    ロケータ
４ａ、４ｂ、４ｃ、４ｄ  フック
５    突起部
【図１】
0004455202.tif 000002
【図２】
0004455202.tif 000003
【図３】
0004455202.tif 000004
【図４】
0004455202.tif 000005
【図５】
0004455202.tif 000006
【図６】
0004455202.tif 000007